(57)【要約】【課題】集合演出において、発光状態が変更される無線通信端末の位置を推定する制御装置、無線通信端末および位置推定システムを提供する。【解決手段】制御装置は、通信部、記憶部、位置推定部を含み、位置推定部は、第１の受信品質と第３の受信品質の差及び第２の受信品質と第４の受信品質の差を用いて、第１の無線通信端末の位置を更新する。第１の応答信号は、少なくとも、第１の無線通信端末が第１の制御信号を受信した際に算出した第１の受信品質及び第１の無線通信端末が第２の応答信号を受信した際に算出した第２の応答信号の第２の受信品質を含み、第３の応答信号は、少なくとも、第３の制御信号の第３の受信品質及び第１の無線通信端末が第４の応答信号を受信した際に算出した第４の応答信号の第４の受信品質を含む。【選択図】図１
2018136209.tif 000002
【特許請求の範囲】
【請求項１】
第１から第ｎ（ｎは２以上の整数）の無線通信端末の第１の発光状態を、前記第１の無線通信端末の位置に基づいて前記第１の無線通信端末に指示する第１の制御信号と、前記第２の無線通信端末の位置に基づいて前記第２の無線通信端末に指示する第２の制御信号と、を送信し、
前記第１の制御信号及び前記第２の制御信号の送信後に、前記第１から前記第ｎの無線通信端末の第２の発光状態を、前記第１の無線通信端末の位置に基づいて前記第１の無線通信端末に指示する第３の制御信号と、前記第２の無線通信端末の位置に基づいて前記第２の無線通信端末に指示する第４の制御信号と、を送信し、
前記第１の無線通信端末から、前記第１の制御信号に対する第１の応答信号を受信し、前記第１の応答信号の受信後に、前記第３の制御信号に対する第３の応答信号を受信し、
前記第２の無線通信端末から、前記第２の制御信号に対する第２の応答信号を受信し、前記第２の応答信号の受信後に、前記第４の制御信号に対する第４の応答信号を受信する、通信部と、
前記第１から前記第ｎの無線通信端末の位置と、前記第１の応答信号及び前記第２の応答信号を記憶する記憶部と、
前記第１の応答信号と前記第３の応答信号を用いて、前記第１の無線通信端末の位置を更新する位置推定部と、
を具備し、
前記第１の応答信号は、少なくとも、前記第１の無線通信端末が前記第１の制御信号を受信した際に算出した第１の受信品質、及び、前記第１の無線通信端末が前記第２の応答信号を受信した際に算出した前記第２の応答信号の第２の受信品質を含み、
前記第３の応答信号は、少なくとも、前記第１の無線通信端末が前記第３の制御信号を受信した際に算出した第３の受信品質、及び、前記第１の無線通信端末が前記第４の応答信号を受信した際に算出した前記第４の応答信号の第４の受信品質を含み、
前記位置推定部は、前記第１の受信品質と前記第３の受信品質の差及び前記第２の受信品質と前記第４の受信品質の差を用いて、前記第１の無線通信端末の位置を更新する、
制御装置。
【請求項２】
前記通信部は、前記第１の無線通信端末の発光部の発光状態を、前記第２から前記第ｎの無線通信端末の発光部と異なる発光状態に制御する第５の制御信号を送信し、
前記第５の制御信号に基づいて前記発光部を点灯させた前記第１の無線通信端末を含む領域を撮影した第１画像を取得するカメラ撮影部と、
前記第１画像に基づいて、前記第１の無線通信端末の位置を検出する位置検出部と、
を具備する、
請求項１に記載の制御装置。
【請求項３】
前記通信部は、前記第２の無線通信端末の発光部の発光状態を、前記第１、及び、前記第３から前記第ｎの無線通信端末の発光部と異なる発光状態に制御する第６の制御信号を送信し、前記第１の無線通信端末から前記第５の制御信号に対する第５の応答信号を受信し、前記第２の無線通信端末から前記第６の制御信号に対する第６の応答信号を受信し、
前記第５の応答信号は、前記第１の無線通信端末が前記第５の制御信号を受信した際に算出した第５の受信品質及び前記第１の無線通信端末が前記第６の応答信号を受信した際に算出した第６の受信品質を含み、
前記記憶部は、前記第５の受信品質を前記第１の受信品質として記憶し、前記第６の受信品質を前記第２の受信品質として記憶する、
請求項２に記載の制御装置。
【請求項４】
前記第１、前記第２、前記第３及び前記第４の受信品質は、ＲＳＳＩ（Received Signal Strength Indicator）である、
請求項１に記載の制御装置。
【請求項５】
発光部と、
前記発光部の第１の発光状態を指示する第１の制御信号を受信し、前記第１の制御信号に対する第１の応答信号を送信し、前記発光部の第２の発光状態を指示する第３の制御信号を受信し、前記第３の制御信号に対する第３の応答信号を送信する無線通信部と、
前記第１及び前記第３の制御信号に含まれる指示に基づき、前記発光部の前記第１及び第２の発光状態を制御する発光制御部と、
前記第１の制御信号に対する第１の受信品質を算出し、前記第３の制御信号に対する第３の受信品質を算出する制御部と、
を具備し、
前記無線通信部は、他の無線通信端末が送信した前記第１の発光状態に対する第２の応答信号を受信し、前記他の無線通信端末が送信した前記第２の発光状態に対する第４の応答信号を受信し、
前記制御部は、前記第２の応答信号に対する第２の受信品質と前記第４の応答信号に対する第４の受信品質とを算出し、
前記第１の応答信号は、少なくとも、前記第１の受信品質及び前記第２の受信品質を含み、
前記第３の応答信号は、少なくとも、前記第２の受信品質及び前記第４の受信品質を含む、
無線通信端末。
【請求項６】
制御装置と、
前記制御装置に接続される少なくとも１つの無線基地局装置と、
前記少なくとも１つの無線基地局装置のいずれかと無線接続する第１から第ｎ（ｎは２以上の整数）の無線通信端末と、
を具備し、
前記制御装置は、
前記第１から前記第ｎの無線通信端末の第１の発光状態を、前記第１の無線通信端末の位置に基づいて前記第１の無線通信端末に指示する第１の制御信号と、前記第２の無線通信端末の位置に基づいて前記第２の無線通信端末に指示する第２の制御信号と、を送信し、
前記第１の制御信号及び前記第２の制御信号の送信後に、前記第１から前記第ｎの無線通信端末の第２の発光状態を、前記第１の無線通信端末の位置に基づいて前記第１の無線通信端末に指示する第３の制御信号と、前記第２の無線通信端末の位置に基づいて前記第２の無線通信端末に指示する第４の制御信号と、を送信し、
前記第１の無線通信端末から、前記第１の制御信号に対する第１の応答信号を受信し、前記第１の応答信号の受信後に、前記第３の制御信号に対する第３の応答信号を受信し、
前記第２の無線通信端末から、前記第２の制御信号に対する第２の応答信号を受信し、前記第２の応答信号の受信後に、前記第４の制御信号に対する第４の応答信号を受信する、通信部と、
前記第１から前記第ｎの無線通信端末の位置と、前記第１の応答信号及び前記第２の応答信号を記憶する記憶部と、
前記第１の応答信号と前記第３の応答信号を用いて、前記第１の無線通信端末の位置を更新する位置推定部と、
を具備し、
前記第１の無線通信端末は、
発光部と、
前記第１の制御信号及び前記第２の応答信号を受信し、前記第１の応答信号を送信し、前記第３の制御信号及び前記第４の応答信号を受信し、前記第３の応答信号を送信する無線通信部と、
前記第１及び前記第３の制御信号に含まれる指示に基づき、前記発光部の前記第１及び第２の発光状態を制御する発光制御部と、
前記第１の制御信号に対する第１の受信品質、前記第２の応答信号に対する第２の受信品質、前記第３の制御信号に対する第３の受信品質及び前記第４の応答信号に対する第４の受信品質を算出する制御部と、
を具備し、
前記第１の応答信号は、少なくとも、前記第１の受信品質及び前記第２の受信品質を含み、
前記第３の応答信号は、少なくとも、前記第２の受信品質及び前記第４の受信品質を含み、
前記位置推定部は、前記第１の受信品質と前記第３の受信品質の差及び前記第２の受信品質と前記第４の受信品質の差を用いて、前記第１の無線通信端末の位置を更新する、
位置推定システム。
【発明の詳細な説明】
【技術分野】
【０００１】
本開示は、制御装置、無線通信端末および位置推定システムに関する。
【背景技術】
【０００２】
近年、スタジアム、ホールなどの多くの観客を収容する施設では、観客が無線制御対応のペンライト、ブレスレッド等の発光装置（無線通信端末）をそれぞれ所持し、制御装置が各発光装置の点灯又は消灯を制御することにより、発光装置が並ぶ領域（つまり、観客が並ぶ領域）の全体または一部を演出領域として、文字の表示や色の変化等の演出が行われる。このような演出を、以降、集合演出と呼ぶ。
【０００３】
集合演出では、制御装置は、各発光装置の位置に応じて、個々に、点灯又は消灯等の発光状態を変更する命令を各発光装置に対して行う。そのために、制御装置は、各発光装置の位置を検出する。
【０００４】
例えば、特許文献１には、発光部を有する無線タグなどの識別情報発信装置の位置を検出する測位システムが開示されている。
【先行技術文献】
【特許文献】
【０００５】
【特許文献１】特開２００６−３１３１１１号公報
【発明の概要】
【発明が解決しようとする課題】
【０００６】
しかしながら、特許文献１の測位システムは、位置を検出するために発光部を点灯させる測位システムであるため、集合演出において発光状態が変更される発光装置の位置検出には適用することは困難である。
【０００７】
本開示の非限定的な実施例は、集合演出において発光状態が変更される発光装置（無線通信端末）の位置を推定できる制御装置、無線通信端末および位置推定システムを提供に資することである。
【課題を解決するための手段】
【０００８】
本開示の一態様に係る制御装置は、第１から第ｎ（ｎは２以上の整数）の無線通信端末の第１の発光状態を、前記第１の無線通信端末の位置に基づいて前記第１の無線通信端末に指示する第１の制御信号と、前記第２の無線通信端末の位置に基づいて前記第２の無線通信端末に指示する第２の制御信号と、を送信し、前記第１の制御信号及び前記第２の制御信号の送信後に、前記第１から前記第ｎの無線通信端末の第２の発光状態を、前記第１の無線通信端末の位置に基づいて前記第１の無線通信端末に指示する第３の制御信号と、前記第２の無線通信端末の位置に基づいて前記第２の無線通信端末に指示する第４の制御信号と、を送信し、前記第１の無線通信端末から、前記第１の制御信号に対する第１の応答信号を受信し、前記第１の応答信号の受信後に、前記第３の制御信号に対する第３の応答信号を受信し、前記第２の無線通信端末から、前記第２の制御信号に対する第２の応答信号を受信し、前記第２の応答信号の受信後に、前記第４の制御信号に対する第４の応答信号を受信する、通信部と、前記第１から前記第ｎの無線通信端末の位置と、前記第１の応答信号及び前記第２の応答信号を記憶する記憶部と、前記第１の応答信号と前記第３の応答信号を用いて、前記第１の無線通信端末の位置を更新する位置推定部と、を具備し、前記第１の応答信号は、少なくとも、前記第１の無線通信端末が前記第１の制御信号を受信した際に算出した第１の受信品質、及び、前記第１の無線通信端末が前記第２の応答信号を受信した際に算出した前記第２の応答信号の第２の受信品質を含み、前記第３の応答信号は、少なくとも、前記第１の無線通信端末が前記第３の制御信号を受信した際に算出した第３の受信品質、及び、前記第１の無線通信端末が前記第４の応答信号を受信した際に算出した前記第４の応答信号の第４の受信品質を含み、前記位置推定部は、前記第１の受信品質と前記第３の受信品質の差及び前記第２の受信品質と前記第４の受信品質の差を用いて、前記第１の無線通信端末の位置を更新する。
【０００９】
本開示の一態様に係る無線通信端末は、発光部と、前記発光部の第１の発光状態を指示する第１の制御信号を受信し、前記第１の制御信号に対する第１の応答信号を送信し、前記発光部の第２の発光状態を指示する第３の制御信号を受信し、前記第３の制御信号に対する第３の応答信号を送信する無線通信部と、前記第１及び前記第３の制御信号に含まれる指示に基づき、前記発光部の前記第１及び第２の発光状態を制御する発光制御部と、前記第１の制御信号に対する第１の受信品質を算出し、前記第３の制御信号に対する第３の受信品質を算出する制御部と、を具備し、前記無線通信部は、他の無線通信端末が送信した前記第１の発光状態に対する第２の応答信号を受信し、前記他の無線通信端末が送信した前記第２の発光状態に対する第４の応答信号を受信し、前記制御部は、前記第２の応答信号に対する第２の受信品質と前記第４の応答信号に対する第４の受信品質とを算出し、前記第１の応答信号は、少なくとも、前記第１の受信品質及び前記第２の受信品質を含み、前記第３の応答信号は、少なくとも、前記第２の受信品質及び前記第４の受信品質を含む。
【００１０】
本開示の一態様に係る位置推定システムは、制御装置と、前記制御装置に接続される少なくとも１つの無線基地局装置と、前記少なくとも１つの無線基地局装置のいずれかと無線接続する第１から第ｎ（ｎは２以上の整数）の無線通信端末と、を具備し、前記制御装置は、前記第１から前記第ｎの無線通信端末の第１の発光状態を、前記第１の無線通信端末の位置に基づいて前記第１の無線通信端末に指示する第１の制御信号と、前記第２の無線通信端末の位置に基づいて前記第２の無線通信端末に指示する第２の制御信号と、を送信し、前記第１の制御信号及び前記第２の制御信号の送信後に、前記第１から前記第ｎの無線通信端末の第２の発光状態を、前記第１の無線通信端末の位置に基づいて前記第１の無線通信端末に指示する第３の制御信号と、前記第２の無線通信端末の位置に基づいて前記第２の無線通信端末に指示する第４の制御信号と、を送信し、前記第１の無線通信端末から、前記第１の制御信号に対する第１の応答信号を受信し、前記第１の応答信号の受信後に、前記第３の制御信号に対する第３の応答信号を受信し、前記第２の無線通信端末から、前記第２の制御信号に対する第２の応答信号を受信し、前記第２の応答信号の受信後に、前記第４の制御信号に対する第４の応答信号を受信する、通信部と、前記第１から前記第ｎの無線通信端末の位置と、前記第１の応答信号及び前記第２の応答信号を記憶する記憶部と、前記第１の応答信号と前記第３の応答信号を用いて、前記第１の無線通信端末の位置を更新する位置推定部と、を具備し、前記第１の無線通信端末は、発光部と、前記第１の制御信号及び前記第２の応答信号を受信し、前記第１の応答信号を送信し、前記第３の制御信号及び前記第４の応答信号を受信し、前記第３の応答信号を送信する無線通信部と、前記第１及び前記第３の制御信号に含まれる指示に基づき、前記発光部の前記第１及び第２の発光状態を制御する発光制御部と、前記第１の制御信号に対する第１の受信品質、前記第２の応答信号に対する第２の受信品質、前記第３の制御信号に対する第３の受信品質及び前記第４の応答信号に対する第４の受信品質を算出する制御部と、を具備し、前記第１の応答信号は、少なくとも、前記第１の受信品質及び前記第２の受信品質を含み、前記第３の応答信号は、少なくとも、前記第２の受信品質及び前記第４の受信品質を含み、前記位置推定部は、前記第１の受信品質と前記第３の受信品質の差及び前記第２の受信品質と前記第４の受信品質の差を用いて、前記第１の無線通信端末の位置を更新する。
【００１１】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１２】
本開示の一態様によれば、集合演出において発光状態が変更される発光装置（無線通信端末）の位置の推定に資する。
【００１３】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１４】
【図１】本開示の一実施の形態に係る制御システムのシステム構成の一例を示す図
【図２】子機のＲＳＳＩ記憶部に記憶されるＲＳＳＩリストの一例を示す図
【図３】制御装置のＲＳＳＩ記憶部に記憶されるＲＳＳＩテーブルの一例を示す図
【図４Ａ】親機が送信した制御信号を子機が受信する処理工程を示す図
【図４Ｂ】図４Ａにて制御信号を受信した子機が応答信号を送信する処理工程を示す図
【図５Ａ】集合演出前の複数の子機の初期位置を示す図
【図５Ｂ】集合演出前のＲＳＳＩを示す図
【図５Ｃ】集合演出中の複数の子機の位置を示す図
【図５Ｄ】集合演出中のＲＳＳＩを示す図
【図６】本開示の一実施の形態における初期位置検出方法の処理フローを示すフローチャート
【図７】本開示の一実施の形態における位置推定方法を含む演出制御方法の処理フローを示すフローチャート
【図８】本開示の一実施の形態における子機の処理フローを示すフローチャート
【発明を実施するための形態】
【００１５】
まず、特許文献１の測位システムについて、説明する。
【００１６】
特許文献１に記載されている測位システムは、識別情報を含む無線信号を発信する手段および発光部を備える識別情報発信装置と、無線信号を受信する受信装置と、識別情報発信装置撮影装置が存在する領域を撮影画像に記録する撮影装置と、受信装置と撮影装置とに接続される測位装置とを有する。
【００１７】
撮影装置と受信装置とは、近傍に設けられ、識別情報発信装置を基準として、ほぼ同一の方向に配置される。また、撮影装置は、連続的に撮影対象となる領域を撮影し、撮影した撮影画像のデータを測位装置に送信する。測位装置は、受信した撮影画像のデータに、受信した時刻を付与して記録する。
【００１８】
そして、特許文献１の測位システムでは、撮影装置が撮影する画像の座標と、測位の対象となる座標とは、予め対応付けられている。そのため、測位装置は、撮影画像上に発光部の座標を検出することによって、対応付けの情報に基づいて、検出した発光部の座標から識別情報発信装置の位置、すなわち、絶対座標を検出できる。
【００１９】
また、識別情報発信装置は、発光部を発光させた場合、受信装置へ識別情報を含む無線信号を発信する。受信装置は、識別情報を受信し、受信時のＲＳＳＩ（Received Signal Strength Indicator）も算出し、識別情報とＲＳＳＩとを測位装置へ送信する。測位装置は、識別情報とＲＳＳＩとを受信した時刻を参照し、その時刻前後の撮影画像を抽出する。
【００２０】
撮影画像に複数の発光部が含まれる場合には、測位装置は、明度の差とＲＳＳＩの差とを対応付けることにより、複数の発光部、つまり、複数の識別情報発信装置のそれぞれを特定する。具体的には、測位装置は、発光部の明度が弱くなるにつれて、発光部が撮影装置（及びその近傍に設けられる受信装置）から離れるため、ＲＳＳＩの強度も弱くなると判断し、発光部、つまり、識別情報発信装置の位置を特定する。
【００２１】
しかしながら、特許文献１の測位システムは、位置を検出する場合、発光部を点灯させる測位システムであるため、集合演出において発光状態が変更される発光装置の位置検出への適用が困難である。つまり、消灯状態を保ちたい場合に、特許文献１の測位システムを用いることは困難である。
【００２２】
また、特許文献１の測位システムでは、撮影装置および受信装置が、識別情報発信装置を基準として、ほぼ同一の方向に配置されることが前提、すなわち、明度及びＲＳＳＩが複数の発光部（識別情報発信装置）それぞれで異なることが前提である。したがって、特許文献１の測位システムでは、例えば、撮影装置および受信装置から等距離に存在し、明度及びＲＳＳＩがそれぞれで略同一となる複数の発光部（識別情報発信装置）の位置を特定することは困難である。
【００２３】
本開示は掛る点を鑑みて為されたものであり、集合演出において発光状態が制御されており、位置検出のために点灯することが困難な発光装置の位置を、発光装置が他の発光装置から送信された信号を受信して算出した、発光装置間の位置関係を示す受信品質に基づいて推定できることに着目し、本開示に至った。
【００２４】
以下、本開示の実施の形態について、図面を参照して詳細に説明する。なお、以下に説明する実施の形態は一例であり、本開示は以下の実施の形態により限定されるものではない。
【００２５】
（一実施の形態）
図１は、本実施の形態に係る制御システム１００のシステム構成の一例を示す図である。図１では、制御システム１００は、制御装置１０と、親機（無線基地局装置）２０と、ｎ個の子機（無線通信端末）（ｎは、２以上の整数）（子機＃１〜子機＃ｎ）とを有する。制御システム１００は、多くの観客を収容する施設、例えば、スタジアム、ホールに設けられ、子機＃１〜子機＃ｎの位置を推定し、推定した位置に基づいて集合演出を行うシステムである。図１では、制御システム１００は、本開示の位置推定システムに相当する。
【００２６】
制御装置１０は、例えば有線ＬＡＮ（Local Area Network）のネットワークを介して親機２０と接続し、制御システム１００全体の制御を行う。制御装置１０は、例えば、ＰＣ（Personal Computer）などの形態を採る。なお、制御装置１０と親機２０とは、別構成であってもよいし、一体構成であってもよい。
【００２７】
制御装置１０は、通信部１１と、カメラ１２と、カメラ撮影部１３と、記憶部１４と、初期位置検出部１５と、演出制御部１６と、子機位置推定部１７とを有する。
【００２８】
通信部１１は、例えば、有線ＬＡＮの通信インタフェースである。通信部１１は、例えば、親機２０へ送信する信号の送信処理、および、親機２０から受信する信号の受信処理を行う。
【００２９】
カメラ１２は、後述するカメラ撮影部１３の制御を受けて、子機＃１〜子機＃ｎが存在する領域を撮影し、撮影画像をカメラ撮影部１３へ出力する。カメラ１２は、子機＃１〜子機＃ｎが移動し得る範囲（移動範囲）を撮影可能な位置に固定して設置される。子機＃１〜子機＃ｎの移動範囲とは、例えば、制御システム１００が多くの観客を収容する施設に設けられる場合、その施設の観客席が設置される範囲である。
【００３０】
なお、撮影画像上の座標と、親機２０を基点とした子機＃１〜子機＃ｎの移動範囲の絶対座標とは、予め対応付けられている。
【００３１】
なお、子機＃１〜子機＃ｎの移動範囲が広域の場合、複数のカメラ１２が設置されていても良い。複数のカメラ１２は、各カメラ１２の撮影範囲が子機＃１〜子機＃ｎの移動範囲を全て網羅するように設置される。
【００３２】
また、本実施の形態では、カメラ１２が制御装置１０に含まれる例について説明するが、カメラ１２は、制御装置１０とは別に設けられ、制御装置１０と有線または無線のネットワークを介して接続されていても良い。
【００３３】
カメラ撮影部１３は、カメラ１２に対して、撮影タイミングの制御を行う。そして、カメラ撮影部１３は、カメラ１２から撮影画像を取得する。
【００３４】
記憶部１４は、例えば、ＨＤＤ（Hard Disc Drive）、メモリカードであり、種々のデータを記憶する少なくとも１つのストレージデバイスである。具体的に、記憶部１４は、子機位置記憶部１４１と、ＲＳＳＩ記憶部１４２と、演出内容記憶部１４３とを有する。
【００３５】
子機位置記憶部１４１には、子機＃１〜子機＃ｎの現在位置が記憶される。現在位置は、後述する初期位置検出部１５が検出した位置、または、後述する子機位置推定部１７が推定した位置のいずれかである。
【００３６】
ＲＳＳＩ記憶部１４２には、各子機（例えば、子機＃１）が受信した信号の受信品質としてのＲＳＳＩが、各子機の識別子、および、受信した信号の送信元に対応付けてテーブル形式で記憶される。
【００３７】
なお、ＲＳＳＩ記憶部１４２に記憶されるＲＳＳＩのテーブル（ＲＳＳＩテーブル）については、後述する。
【００３８】
演出内容記憶部１４３には、子機＃１〜子機＃ｎを用いて演出が行われる映像（例えば、静止画、動画）が記憶される。映像は、子機＃１〜子機＃ｎがそれぞれ有する発光部の発光状態の違いにより生成される。
【００３９】
初期位置検出部１５は、子機＃１〜子機＃ｎの初期位置を検出する。初期位置とは、集合演出が行われる前の子機＃１〜子機＃ｎの位置である。
【００４０】
具体的には、初期位置検出部１５は、通信部１１を介して、子機＃１〜子機＃ｎのうちいずれか１つの子機（以下、指定子機、指定無線通信端末と呼ぶ）に対して、点灯を指示する命令（点灯命令）を含む制御信号を送信する。そして、初期位置検出部１５は、指定子機から制御信号に対する応答信号を受信した場合、カメラ撮影部１３に対して撮影の指示を行う。なお、初期位置検出部１５は、カメラ撮影部１３から撮影画像を取得した後、指定子機に対して、消灯を指示する命令（消灯命令）を含む制御信号を送信する。
【００４１】
次に、初期位置検出部１５は、撮影画像の画像処理を行い、点灯した位置を検出する。そして、初期位置検出部１５は、撮影画像上の点灯位置および撮影画像上の座標と絶対座標との対応関係に基づき、指定子機の位置を検出し、検出した指定子機の位置を子機位置記憶部１４１へ格納する。
【００４２】
また、初期位置検出部１５は、応答信号に付与されたＲＳＳＩリストをＲＳＳＩ記憶部１４２に格納する。
【００４３】
なお、初期位置検出部１５における初期位置を検出する処理については後述する。
【００４４】
演出制御部１６は、演出内容記憶部１４３から取得する映像と、子機位置記憶部１４１から取得する子機＃１〜子機＃ｎの位置情報に基づいて、子機＃１〜子機＃ｎそれぞれの発光状態を決定する。そして、演出制御部１６は、子機＃１〜子機＃ｎそれぞれに対する発光状態を指定する命令（制御命令）を含む制御信号を生成し、通信部１１を介して、子機＃１〜子機＃ｎへ送信する。子機の発光状態とは、例えば、点灯または消灯の状態である。なお、子機の発光状態には、例えば、点灯させる色や明度が含まれていても良い。
【００４５】
また、演出制御部１６は、通信部１１を介して、子機＃１〜子機＃ｎから、制御命令を含む制御信号に対する応答信号を受信する。演出制御部１６は、受信した応答信号を子機位置推定部１７へ出力する。
【００４６】
子機位置推定部１７は、演出制御部１６から取得する応答信号に付与された各子機のＲＳＳＩリストを抽出する。そして、子機位置推定部１７は、ＲＳＳＩ記憶部１４２から取得したＲＳＳＩテーブルと、抽出したＲＳＳＩリストとを比較することによって、子機の位置を推定する。
【００４７】
具体的には、子機位置推定部１７は、ＲＳＳＩテーブルのＲＳＳＩとＲＳＳＩリストのＲＳＳＩとの差分から、子機の移動した方向および移動した距離を推定する。そして、子機位置推定部１７は、子機位置記憶部１４１に記憶された位置に、推定した方向と距離とを加算することによって、子機の位置を更新し、更新した位置を子機位置記憶部１４１に格納する。また、子機位置推定部１７は、ＲＳＳＩリストをＲＳＳＩ記憶部１４２に格納する。ＲＳＳＩリストが格納されることによって、ＲＳＳＩテーブルは、更新される。
【００４８】
なお、子機位置推定部１７における子機の位置を推定する方法については後述する。
【００４９】
親機２０は、有線ＬＡＮのネットワークを介して制御装置１０と接続する。また、親機２０は、子機＃１〜子機＃ｎと無線接続する。親機２０は、例えば、２．４ＧＨｚ帯の無線ＬＡＮに対応したアクセスポイントである。
【００５０】
親機２０は、例えば、通信部２１と、無線通信部２２と、制御部２３とを有する。
【００５１】
通信部２１は、例えば、有線ＬＡＮの通信インタフェースである。通信部２１は、例えば、制御装置１０へ送信する信号の送信処理、および、制御装置１０から受信する信号の受信処理を行う。
【００５２】
無線通信部２２は、例えば、２．４ＧＨｚ帯の無線ＬＡＮの通信インタフェースである。無線通信部２２は、例えば、子機＃１〜子機＃ｎへ送信する信号の送信処理、および、子機＃１〜子機＃ｎから受信する信号の受信処理を行う。
【００５３】
制御部２３は、例えば、通信部２１を介した制御装置１０との通信、および、無線通信部２２を介した子機＃１〜子機＃ｎとの通信を制御する。
【００５４】
子機＃１〜子機＃ｎは、無線接続する親機２０を介して、制御装置１０と通信を行う。子機＃１〜子機＃ｎは、例えば、無線制御対応のペンライト、ブレスレッドであり、観客によって所持される。子機＃１〜子機＃ｎは、それぞれ、同様の構成を有するため、子機＃１を例にとって、子機＃１〜子機＃ｎの構成を説明する。
【００５５】
子機＃１は、発光部３１と、無線通信部３２と、発光制御部３３と、ＲＳＳＩ記憶部３４と、子機制御部３５とを有する。
【００５６】
発光部３１は、少なくとも１つのＬＥＤ（Light Emitting Diode）ライトを含み、点灯または消灯、ならびに、指定した色への変更を行うデバイスである。
【００５７】
無線通信部３２は、例えば、２．４ＧＨｚ帯の無線ＬＡＮの通信インタフェースである。無線通信部３２は、例えば、親機２０へ送信する信号の送信処理、および、親機２０または他の子機（子機＃２〜子機＃ｎ）から受信する信号の受信処理を行う。例えば、無線通信部３２は、親機２０から点灯命令、消灯命令、または、制御命令等を含む制御信号を受信する。また、無線通信部３２は、他の子機（子機＃２〜子機＃ｎ）が親機２０宛に送信した応答信号を受信する。
【００５８】
発光制御部３３は、後述する子機制御部３５から取得する命令（点灯命令、消灯命令、および、制御命令）に基づいて、発光部３１の点灯または消灯、ならびに、指定した色への変更を行う。
【００５９】
ＲＳＳＩ記憶部３４には、親機２０が送信した信号を受信した際に算出したＲＳＳＩ、および、子機＃１以外の子機（子機＃２〜子機＃ｎ）が送信した信号を受信した際に算出したＲＳＳＩと記憶される。
【００６０】
ＲＳＳＩ記憶部３４に記憶されるＲＳＳＩのリスト（ＲＳＳＩリスト）については後述する。
【００６１】
子機制御部３５は、無線通信部３２を介した信号の送受信処理および受信した信号のＲＳＳＩを算出する処理を行う。
【００６２】
子機制御部３５は、無線通信部３２により受信された信号の送信元および宛先を認識する。子機制御部３５は、無線通信部３２により受信された信号の送信元が制御装置１０であって、受信した信号の宛先が子機＃１の場合、受信した信号に含まれる制御信号（例えば、点灯命令、消灯命令、および、制御命令）を抽出し、発光制御部３３へ出力し、制御信号に対する応答信号を生成する。ここで、子機制御部３５は、ＲＳＳＩ記憶部３４に記憶されたＲＳＳＩリストを応答信号に付与する。
【００６３】
また、子機制御部３５は、受信した信号のＲＳＳＩを算出する。そして、子機制御部３５は、受信した信号の送信元を対応付けたＲＳＳＩをＲＳＳＩリストとしてＲＳＳＩ記憶部３４へ格納する。
【００６４】
以上説明したシステムにおいて、制御装置１０は、子機＃１〜子機＃ｎの位置を推定し、推定した位置に基づいて集合演出を行う。なお、以下では、説明の便宜上、親機２０を親機と呼ぶ。
【００６５】
次に、ＲＳＳＩ記憶部３４に記憶されるＲＳＳＩリストの一例について図２を用いて説明する。図２は、子機＃ｉ（ｉは、１以上ｎ以下の整数）のＲＳＳＩ記憶部３４に記憶されるＲＳＳＩリストの一例を示す図である。
【００６６】
図２に示すＲＳＳＩリストにおける、「親機とのＲＳＳＩ」とは、親機が送信した信号を、子機＃ｉが受信した際に算出したＲＳＳＩである。ＲＳＳＩリストには、親機とのＲＳＳＩの値としてＲＳＳＩ＿ｐｉが格納される。
【００６７】
なお、「親機が送信した信号」とは、制御装置１０が親機を介して子機＃ｉに送信した信号である。なお、「親機が送信した信号」は、制御装置１０が親機を介して子機＃ｊに送信した信号であっても良い。
【００６８】
また、「子機＃１とのＲＳＳＩ」とは、子機＃１が親機宛に送信した信号を、子機＃ｉが受信した際に算出したＲＳＳＩである。ＲＳＳＩリストには、子機＃１とのＲＳＳＩの値としてＲＳＳＩ＿１ｉが格納される。
【００６９】
なお、「子機＃１が送信した信号」とは、例えば、子機＃１が、子機＃１宛の制御信号を受信し、制御信号に対して、親機宛に送信した応答信号である。
【００７０】
同様に、「子機＃ｊ（ｊは、１以上ｎ以下の整数であって、ｉ以外の整数）とのＲＳＳＩ」とは、子機＃ｊが親機宛に送信した信号を、子機＃ｉが受信した際に算出したＲＳＳＩである。ＲＳＳＩリストには、子機＃ｊとのＲＳＳＩの値としてＲＳＳＩ＿ｊｉが格納される。
【００７１】
上述の通り、子機＃ｉの子機制御部３５は、親機が子機＃ｊ宛または子機＃ｉ宛に送信した信号および他の子機＃ｊが親機宛に送信した信号を受信し、受信した信号のＲＳＳＩを算出する。そして、子機制御部３５は、受信した信号の送信元を対応付けたＲＳＳＩをＲＳＳＩリストとしてＲＳＳＩ記憶部３４へ格納する。また、子機制御部３５は、図２に示すＲＳＳＩリストを親機宛の応答信号に付与する。
【００７２】
なお、図２には示さないが、各装置（親機または子機）とのＲＳＳＩは、そのＲＳＳＩの元となる信号の方向（ＲＳＳＩ方向）と対応付けられても良い。例えば、親機が送信した信号を、子機＃ｉが受信して算出したＲＳＳＩは、そのＲＳＳＩ方向として、親機から子機＃ｉの方向（親機→子機＃ｉ）の情報と対応付けられても良い。
【００７３】
次に、ＲＳＳＩ記憶部１４２に記憶されるＲＳＳＩテーブルの一例について図３を用いて説明する。図３は、制御装置１０のＲＳＳＩ記憶部１４２に記憶されるＲＳＳＩテーブルの一例を示す図である。
【００７４】
図３では、ＲＳＳＩテーブルは、子機識別子とそれぞれの子機から受信した応答信号に含まれるＲＳＳＩリストとが対応付けられている。
【００７５】
例えば、子機＃１を示す「子機識別子（子機＃１）」と対応付けられた、「親機とのＲＳＳＩ」とは、親機が送信した信号を子機＃１が受信して算出したＲＳＳＩである。ＲＳＳＩテーブルには、親機とのＲＳＳＩの値としてＲＳＳＩ＿ｐ１が格納される。
【００７６】
また、子機＃１を示す「子機識別子（子機＃１）」と対応付けられた、「子機＃２とのＲＳＳＩ」とは、子機＃２が送信した信号を子機＃１が受信して算出したＲＳＳＩである。ＲＳＳＩテーブルには、子機＃２とのＲＳＳＩの値としてＲＳＳＩ＿１ｉが格納される。
【００７７】
なお、子機＃１を示す「子機識別子（子機＃１）」と対応付けられた、「子機＃１とのＲＳＳＩ」は、算出されないため、空欄（ブランク）である。
【００７８】
図３に示すＲＳＳＩテーブルは、子機位置推定部１７が子機の位置を推定する場合、読み出される。また、図３に示すＲＳＳＩテーブルは、子機位置推定部１７が子機の位置を推定した後、推定処理の過程において、応答信号から取得した直近のＲＳＳＩリストを用いて更新される。
【００７９】
以上、図２、図３を用いて説明したように、各子機のＲＳＳＩ記憶部３４には、子機が受信した信号のＲＳＳＩがＲＳＳＩリストとして記憶される。また、制御装置１０のＲＳＳＩ記憶部１４２には、各子機から送信された応答信号に付与されたＲＳＳＩリストが、応答信号の送信元の子機と対応付けられて、ＲＳＳＩテーブルに記憶される。
【００８０】
次に、子機＃１が親機から制御信号を受信し、制御信号に対する応答信号を送信する過程における子機＃１および他の子機の処理について図４Ａ、図４Ｂを用いて説明する。図４Ａは、親機が送信した制御信号を子機＃１が受信する処理工程を示す図である。図４Ｂは、図４Ａにて制御信号を受信した子機＃１が応答信号を送信する処理工程を示す図である。図４Ａ、図４Ｂには、親機と子機＃１〜子機＃６が示される。また、図４Ａ、図４Ｂには、送受信される信号の一例が示される。
【００８１】
図４Ａでは、親機は、子機＃１に対して点灯命令を含む制御信号Ｃ＿ｐ１を送信する。制御信号Ｃ＿ｐ１の信号種別は、点灯命令、制御信号Ｃ＿ｐ１の送信元は親機、制御信号Ｃ＿ｐ１の宛先は子機＃１である。なお、制御信号Ｃ＿ｐ１は、信号種別、送信元、宛先以外の情報を含んでもよいが、ここでの説明を省略する。
【００８２】
子機＃１は、制御信号Ｃ＿ｐ１を受信し、制御信号Ｃ＿ｐ１のＲＳＳＩを算出する。そして、子機＃１は、算出した制御信号Ｃ＿ｐ１のＲＳＳＩを親機とのＲＳＳＩ（ＲＳＳＩ＿ｐ１）として格納する。そして、子機＃１は、親機に対して応答信号Ｒ＿１ｐを送信する。
【００８３】
図４Ｂでは、子機＃１は、親機に対して制御信号Ｃ＿ｐ１に対する応答信号Ｒ＿１ｐを送信する。応答信号Ｒ＿１ｐの信号種別は点灯命令に対する応答（点灯応答）、応答信号Ｒ＿１ｐの送信元は子機＃１、応答信号Ｒ＿１ｐの宛先は親機である。なお、応答信号Ｒ＿１ｐは、信号種別、送信元、宛先、ＲＳＳＩリスト以外の情報を含んでもよいが、ここでの説明は省略する。
【００８４】
子機＃１が応答信号Ｒ＿１ｐを、例えば、無指向性の送信ビームを用いて、送信した場合、子機＃１の周辺の子機＃２は、応答信号Ｒ＿１ｐを受信する。そして、子機＃２は、受信した応答信号Ｒ＿１ｐの宛先が親機であること、つまり、子機＃２宛では無いこと、および、送信元が子機＃１であることを認識する。また、子機＃２は、受信した応答信号Ｒ＿１ｐのＲＳＳＩを算出し、算出したＲＳＳＩを、子機＃１とのＲＳＳＩ（ＲＳＳＩ＿１２）として、子機＃２のＲＳＳＩ記憶部３４に格納する。
【００８５】
子機＃３も同様に、受信した応答信号Ｒ＿１ｐの宛先が親機であること、つまり、子機＃３宛では無いこと、および、送信元が子機＃１であることを認識する。また、子機＃３は、受信した応答信号Ｒ＿１ｐのＲＳＳＩを算出し、算出したＲＳＳＩを、子機＃１とのＲＳＳＩ（ＲＳＳＩ＿１３）として、子機＃３のＲＳＳＩ記憶部３４に格納する。
【００８６】
子機＃４も同様に、受信した応答信号Ｒ＿１ｐの宛先が親機であること、つまり、子機＃４宛では無いこと、および、送信元が子機＃１であることを認識する。また、子機＃４は、受信した応答信号Ｒ＿１ｐのＲＳＳＩを算出し、算出したＲＳＳＩを、子機＃１とのＲＳＳＩ（ＲＳＳＩ＿１４）として、子機＃４のＲＳＳＩ記憶部３４に格納する。
【００８７】
図４Ａでは、制御信号を受信した子機は、親機が各子機に対して制御信号を送信することにより、親機とのＲＳＳＩを算出できる。また、図４Ｂでは、応答信号を送信した子機周辺に存在する子機は、制御信号を受信した子機が親機に対して応答信号を送信することにより、応答信号を送信した子機とのＲＳＳＩを算出できる。
【００８８】
なお、図示しないが、例えば、図４Ａにおいて、子機＃２が制御信号Ｃ＿ｐ１を受信した場合、子機＃２は、制御信号Ｃ＿ｐ１のＲＳＳＩを算出して格納しても良い。この場合、子機＃２は、受信した制御信号Ｃ＿ｐ１の宛先が子機＃１であること、つまり、子機＃２宛では無いこと、および、送信元が親機であることを認識し、受信した制御信号Ｃ＿ｐ１のＲＳＳＩを算出し、算出したＲＳＳＩを、親機とのＲＳＳＩ（ＲＳＳＩ＿ｐ２）として、子機＃２のＲＳＳＩ記憶部３４に格納する。
【００８９】
次に、子機位置推定部１７における子機の位置推定処理の一例について図５Ａ、図５Ｂ、図５Ｃ及び図５Ｄを用いて説明する。図５Ａは、集合演出前の複数の子機の初期位置を示す図である。図５Ｂは、集合演出前のＲＳＳＩを示す図である。図５Ｃは、集合演出中の複数の子機の位置を示す図である。図５Ｄは、集合演出中のＲＳＳＩを示す図である。図５Ａ及び図５Ｃには、親機と子機＃１〜子機＃７とが示される。以下では、一例として、集合演出中に移動する子機＃１の位置推定処理を説明する。なお、図５Ａにおける初期位置は、制御装置１０において、既知の位置である。
【００９０】
図５Ｂには、ＲＳＳＩ記憶部１４２に記憶されたＲＳＳＩテーブルのうち、子機＃１を示す子機識別子と対応付けられた他の装置（親機または他の子機）とのＲＳＳＩが示されている。そして、図５Ａには、子機＃１を示す子機識別子と対応付けられた他の装置（親機または他の子機）とのＲＳＳＩの大きさに対応する半径を有する円が、該当する装置を中心に示されている。各円は、子機＃１が該当する装置から受信した信号のＲＳＳＩに基づいて推定される、該当する装置を基準とした子機＃１の位置に相当する。また、ＲＳＳＩは、信号の受信強度を示す数値であるため、数値が大きいほど、信号を受信した装置と信号の送信元の装置との距離が近い。そのため、各円の半径は、ＲＳＳＩの数値が大きいほど、小さくなる。
【００９１】
図５Ａでは、子機＃１の位置は、親機を中心とした親機とのＲＳＳＩの大きさ−６０ｄＢｍに対応する半径を有する円Ｖｐ１、子機＃２を中心とした子機＃２とのＲＳＳＩの大きさ−５５ｄＢｍに対応する半径を有する円Ｖ２１、子機＃３を中心とした子機＃３とのＲＳＳＩの大きさ−５５ｄＢｍに対応する半径を有する円Ｖ３１、子機＃４を中心とした子機＃４とのＲＳＳＩの大きさ−５５ｄＢｍに半径を有する円Ｖ４１が交差する地点と一致している。
【００９２】
また、子機＃１が初期位置からいずれかの方向に移動した場合、子機＃１が受信する信号のＲＳＳＩは、初期位置からの移動方向および移動した距離に応じて変化する。つまり、初期位置の子機＃１のＲＳＳＩ、つまり、ＲＳＳＩ記憶部１４２に記憶されたＲＳＳＩテーブルのＲＳＳＩと、集合演出中に移動した子機＃１のＲＳＳＩ、つまり、最新の応答信号に含まれるＲＳＳＩリストのＲＳＳＩとの差分は、初期位置からの移動方向および移動した距離に応じて異なる。子機位置推定部１７は、ＲＳＳＩ記憶部１４２に記憶されたＲＳＳＩテーブルのＲＳＳＩと最新の応答信号に含まれるＲＳＳＩリストのＲＳＳＩとを比較し、差分を算出することにより、子機＃１の位置を推定する。
【００９３】
図５Ｃには、集合演出中に初期位置から移動した子機＃１の位置が子機＃１−１として示される。また、図５Ｄには、親機が子機＃１に対して送信する点灯命令を含む制御信号Ｃ＿ｐ１と、子機＃１が親機に対して送信する制御信号Ｃ＿ｐ１に対する応答信号Ｒ＿１ｐが示される。応答信号Ｒ＿１ｐには、子機＃１のＲＳＳＩリストが付与されている。
【００９４】
子機位置推定部１７は、ＲＳＳＩ記憶部１４２に記憶されたＲＳＳＩテーブルのＲＳＳＩと、応答信号Ｒ＿１ｐに付与されたＲＳＳＩリストとを比較して差分を算出する。図５Ｄでは、親機とのＲＳＳＩは−６０ｄＢｍから−６５ｄＢｍへ変化し、子機＃３とのＲＳＳＩは−５５ｄＢｍから−５０ｄＢｍへ変化する。つまり、親機とのＲＳＳＩは５ｄＢｍ減少（−５ｄＢｍ増加）し、子機＃３とのＲＳＳＩは５ｄＢｍ増加（−５ｄＢｍ減少）する。そして、子機＃２とのＲＳＳＩ、および、子機＃４とのＲＳＳＩは、それぞれ変化していないため、差分はゼロである。
【００９５】
この場合、子機位置推定部１７は、子機＃１が親機から離れる方向に５ｄＢｍのＲＳＳＩに対応する距離を移動し、子機＃３に近づく方向に５ｄＢｍのＲＳＳＩに対応する距離を移動し、子機＃１と子機＃２との距離、および子機＃１と子機＃４との距離は変わらない、と推定する。
【００９６】
図５Ｃでは、子機位置推定部１７は、子機＃１の位置が、円Ｖｐ１、円Ｖ２１、円Ｖ３１、円Ｖ４１の交差する位置から、親機を中心とした親機とのＲＳＳＩの大きさ−６５ｄＢｍに対応する半径を有する円Ｗｐ１、子機＃２を中心とした子機＃２とのＲＳＳＩの大きさ−５５ｄＢｍに対応する半径を有する円Ｖ２１（図５Ａと同じ）、子機＃３を中心とした子機＃３とのＲＳＳＩの大きさ−５０ｄＢｍに対応する半径を有する円Ｗ３１、子機＃４を中心とした子機＃４とのＲＳＳＩの大きさＶ４１（図５Ａと同じ）が交差する地点、つまり、図５Ｃの子機＃１−１の位置、に移動したと推定する。子機位置推定部１７は、推定結果に基づき、子機＃１の位置を更新する。
【００９７】
次に、制御装置１０において実行される初期位置検出方法の処理フローについて図６を用いて説明する。図６は、本実施の形態における初期位置検出方法の処理フローを示すフローチャートである。
【００９８】
図６に示す初期位置検出方法は、後述する集合演出を制御する演出制御方法の処理の前に実行される。また、以下では、一例として、子機＃１〜子機＃ｎのうち、子機＃ｉ（ｉは１〜ｎのいずれかの整数）の初期位置を検出する方法を説明する。
【００９９】
ステップＳ１１にて、初期位置検出部１５は、通信部１１を介して、子機＃ｉへ点灯命令を含む制御信号を送信する。
【０１００】
ステップＳ１２にて、初期位置検出部１５は、通信部１１を介して、子機＃ｉから点灯命令を含む制御信号に対する応答信号を受信する。
【０１０１】
ステップＳ１３にて、初期位置検出部１５が、カメラ撮影部１３に撮影の指示を行うことにより、カメラ１２は、子機＃ｉを含む範囲を撮影する。カメラ１２は、カメラ撮影部１３を介して、撮影した画像を初期位置検出部１５に出力する。
【０１０２】
ステップＳ１４にて、初期位置検出部１５は、子機＃ｉへ消灯命令を含む制御信号を送信する。
【０１０３】
ステップＳ１５にて、初期位置検出部１５は、カメラ撮影部１３を介してカメラ１２から取得した撮影画像を用いて子機＃ｉの位置を検出し、検出した位置を子機位置記憶部１４１へ格納する。
【０１０４】
初期位置検出部１５は、撮影画像に含まれる、発光部３１を点灯させた子機＃ｉの画像上の座標を検出する。そして、初期位置検出部１５は、予め対応付けられた、撮影画像上の座標と親機２０を基点とした子機＃１〜子機＃ｎの移動範囲の絶対座標との対応付けに基づいて、子機＃ｉの絶対座標を検出する。
【０１０５】
次に、ステップＳ１６にて、初期位置検出部１５は、ステップＳ１２にて受信した応答信号に付与されたＲＳＳＩリストをＲＳＳＩ記憶部１４２へ格納する。
【０１０６】
次に、ステップＳ１７にて、初期位置検出部１５は、子機＃１〜子機＃ｎの位置検出が終了したか否かを判定する。
【０１０７】
子機＃１〜子機＃ｎの位置検出が終了した場合（ステップＳ１７にてＹＥＳ）、フローは終了する。子機＃１〜子機＃ｎの位置検出が終了していない場合（ステップＳ１７にてＮＯ）、フローはステップＳ１１へ戻り、位置検出が行われていない子機の位置検出を開始する。
【０１０８】
以上、図６に示した処理フローにより、制御装置１０は、集合演出の実行前であって、子機＃１〜子機＃ｎを任意に発光しても良い段階において、初期位置を検出することができる。
【０１０９】
なお、図６に示す初期位置検出方法は、子機＃１〜子機＃ｎの位置検出が終了した場合、フローが終了するとして説明したが、例えば、集合演出を制御する演出制御方法の処理の前に複数回実行されても良い。複数回の初期位置検出方法が実行されることによって、子機＃１〜子機＃ｎの位置が、最新の結果に更新され、ＲＳＳＩ記憶部１４２のＲＳＳＩテーブルが、最新の結果に更新される。
【０１１０】
次に、制御装置１０において実行される位置推定方法を含む演出制御方法の処理フローについて図７を用いて説明する。図７は、本実施の形態における位置推定方法を含む演出制御方法の処理フローを示すフローチャートである。
【０１１１】
図７に示す演出制御方法は、図６に示した初期位置検出方法が実行された後に、制御装置１０が、集合演出を行うユーザから集合演出を開始する指示を受け付けた場合に開始される。
【０１１２】
ステップＳ２１にて、演出制御部１６は、演出内容記憶部１４３から、演出を行う映像を取得する。
【０１１３】
ステップＳ２２にて、演出制御部１６は、子機位置記憶部１４１から、初期位置として、子機＃１〜子機＃ｎの位置情報を取得する。
【０１１４】
ステップＳ２３にて、演出制御部１６は、演出内容記憶部１４３から取得した映像と子機＃１〜子機＃ｎの位置情報とに基づき、子機＃１〜子機＃ｎへ制御命令を含む制御信号を、通信部１１を介して子機＃１〜子機＃ｎへ送信する。なお、演出制御部１６は、子機＃１〜子機＃ｎの一部の個数（指定個数）に対して制御命令を含む制御信号を送信しても良い。
【０１１５】
ステップＳ２４にて、演出制御部１６は、子機＃ｉ（ｉは、１からｎのいずれかの整数）それぞれから制御命令に対する応答信号を、通信部１１を介して子機＃ｉそれぞれから受信する。演出制御部１６は、受信した応答信号を子機位置推定部１７へ出力する。
【０１１６】
ステップＳ２５にて、子機位置推定部１７は、応答信号に付与されたＲＳＳＩリストを抽出する。
【０１１７】
ステップＳ２６にて、子機位置推定部１７は、ＲＳＳＩ記憶部１４２から、ＲＳＳＩテーブルを取得する。
【０１１８】
ステップＳ２７にて、子機位置推定部１７は、ＲＳＳＩテーブルとＲＳＳＩリストとを比較し、ＲＳＳＩテーブルのＲＳＳＩとＲＳＳＩリストのＲＳＳＩとの差分に基づいて、子機＃ｉの位置を推定する。
【０１１９】
ステップＳ２８にて、子機位置推定部１７は、更新した子機＃ｉの位置を子機位置記憶部１４１へ格納する。
【０１２０】
ステップＳ２９にて、子機位置推定部１７は、抽出したＲＳＳＩリストをＲＳＳＩ記憶部１４２へ格納する。
【０１２１】
ステップＳ３０にて、演出制御部１６は、指定個数の応答信号を受信完了したか否かを判定する。
【０１２２】
指定個数の応答信号を受信していない場合（ステップＳ３０にてＮＯ）、フローはステップＳ２４へ戻り、演出制御部１６は、通信部１１を介して、応答信号を受信していない子機からの応答信号を受信する。
【０１２３】
指定個数の応答信号を受信した場合（ステップＳ３０にてＹＥＳ）、ステップＳ３１にて、演出制御部１６は、ステップＳ２１で取得した映像による演出を終了するか否かを判定する。
【０１２４】
ステップＳ２１で取得した映像による演出を終了しない場合（ステップＳ３１にてＮＯ）、フローはステップＳ２２へ戻り、ステップＳ２１で取得した映像による演出を継続する。
【０１２５】
ステップＳ２１で取得した映像による演出を終了する場合（ステップＳ３１にてＹＥＳ）、ステップＳ３２にて、演出制御部１６は、演出を終了するか否かを判定する。例えば、演出制御部１６は、集合演出を行うユーザから集合演出を終了する指示を受け付けたか否かに基づいて、演出を終了するか否かを判定する。
【０１２６】
演出を終了しない場合（ステップＳ３２にてＮＯ）、フローはステップＳ２１へ戻り、演出制御部１６は、次の演出を開始する。演出を終了する場合（ステップＳ３２にてＹＥＳ）、フローは終了する。
【０１２７】
以上、図７に示した処理フローにより、制御装置１０は、集合演出中の、子機を任意に発光させることが困難な段階において、集合演出の実行中であっても、子機の位置を推定することができる。これにより、子機の位置が移動した場合であっても、集合演出と異なる点灯を子機が行うことを回避して、子機の位置を推定でき、より効果的な集合演出を行う事ができる。
【０１２８】
次に、子機＃ｉにおいて実行される制御方法の処理フローについて図８を用いて説明する。図８は、本実施の形態における子機の処理フローを示すフローチャートである。
【０１２９】
図８に示す処理フローは、図６に示した初期位置検出方法が実行される場合、および、図７に示した演出制御方法が実行される場合、の両方に共通する子機の処理フローである。
【０１３０】
ステップＳ４１にて、無線通信部３２は、信号を受信する。ステップＳ４１にて受信する信号は、例えば、親機がいずれかの子機宛に送信した制御信号、または、いずれかの子機が親機宛に送信した応答信号である。無線通信部３２は、受信した信号を子機制御部３５へ出力する。
【０１３１】
ステップＳ４２にて、子機制御部３５は、受信した信号の宛先が子機＃ｉであるか否かを判定する。
【０１３２】
受信した信号の宛先が子機＃ｉである場合（ステップＳ４２にてＹＥＳ）、ステップＳ４３にて、発光制御部３３は、信号に含まれる制御命令に基づいて、発光部３１の発光状態を制御する。
【０１３３】
ステップＳ４４にて、子機制御部３５は、受信した信号のＲＳＳＩを算出する。
【０１３４】
ステップＳ４５にて、子機制御部３５は、算出したＲＳＳＩを、「親機とのＲＳＳＩ」として、ＲＳＳＩ記憶部３４へ格納する。
【０１３５】
ステップＳ４６にて、子機制御部３５は、ＲＳＳＩ記憶部３４からＲＳＳＩリストを取得する。ステップＳ４６にて取得するＲＳＳＩリストは、ステップＳ４４にて算出したＲＳＳＩを含む。
【０１３６】
ステップＳ４７にて、子機制御部３５は、無線通信部３２を介して、ＲＳＳＩリストを付与した応答信号を、親機２０を介して、制御装置１０に送信する。そして、フローは終了する。
【０１３７】
受信した信号の宛先が子機＃ｉでは無い子機＃ｊである場合（ステップＳ４２にてＮＯ）、ステップＳ４８にて、子機制御部３５は、受信した信号の送信元が親機であるか否かを判定する。なお、ｉ及びｊは、ｉ≠ｊとなる１以上の整数である。
【０１３８】
受信した信号の送信元が親機である場合（ステップＳ４８にてＹＥＳ）、ステップＳ４９にて、子機制御部３５は、受信した信号のＲＳＳＩを算出する。
【０１３９】
ステップＳ５０にて、子機制御部３５は、算出したＲＳＳＩを、「親機とのＲＳＳＩ」として、ＲＳＳＩ記憶部３４へ格納する。そして、フローは終了する。
【０１４０】
受信した信号の送信元が親機では無い場合（ステップＳ４８にてＮＯ）、ステップＳ５１にて、子機制御部３５は、受信した信号のＲＳＳＩを算出する。なお、受信した信号の送信元が親機では無い場合とは、すなわち、受信した信号の送信元が子機＃ｊである。
【０１４１】
ステップＳ５２にて、子機制御部３５は、算出したＲＳＳＩを送信元である「子機＃ｊとのＲＳＳＩ」として、ＲＳＳＩ記憶部３４へ格納する。そして、フローは終了する。
【０１４２】
以上、図８に示した処理フローにより、子機＃ｉは、親機が子機＃ｉに送信した信号、親機が子機＃ｊに送信した信号、および、子機＃ｊが親機へ送信した信号を用いて、親機と子機＃ｊとの位置関係を示すＲＳＳＩを算出し、親機を介して制御装置１０へ通知できる。
【０１４３】
以上説明したように、本実施の形態によれば、制御装置１０は、各子機（発光装置、または、無線通信端末）から、親機と他の子機との位置関係を示すＲＳＳＩを取得し、ＲＳＳＩの変化に基づいて、初期位置からの移動方向、移動距離を推定することができるため、集合演出の実行中であっても、位置検出のために子機を発光させることを抑制して、子機の位置を推定できる。
【０１４４】
なお、上述した実施の形態において、親機と子機（子機＃１〜子機＃ｎ）との間の無線通信の一例として、２．４ＧＨｚ帯の無線ＬＡＮを用いる例を説明したが、本開示はこれに限定されない。親機と子機（子機＃１〜子機＃ｎ）との間の無線通信は、例えば、５ＧＨｚ帯の無線ＬＡＮ、ＢＬＥ（Bluetooth Low Energy）、９２０ＭＨｚ帯の特定小電力無線（特小無線）、６０ＧＨｚ帯のＷｉＧｉｇ（Wireless Gigabit）の無線通信であっても良い。
【０１４５】
また、上述した実施の形態では、制御システム１００において、制御装置１０に接続する親機が１台である例について説明したが、制御装置１０に接続する親機は、２台以上であっても良い。
【０１４６】
また、上述した実施の形態では、初期位置検出方法として、子機を１台ずつ点灯させて子機の位置を１台ずつ検出する例について説明したが、本開示はこれに限定されない。複数の子機を互いに異なる発光状態（例えば、異なる色、異なる周期の点滅）に指定し、異なる発光状態の子機をカメラにより撮影した撮影画像の画像処理を行い、複数の子機を区別して検出することで、複数の子機の位置を検出しても良い。
【０１４７】
また、初期位置については、制御装置１０において検出する代わりに、外部の装置から情報を取得しても良い。例えば、観客の座席位置（初期位置）と対応付けた子機を観客に配布する場合、初期位置は、子機と予め対応付けられているため、検出することを省略できる。
【０１４８】
また、上述した実施の形態では、各子機が受信した信号の受信品質としてＲＳＳＩを算出する例について説明したが、本開示はこれに限定されない。例えば、ＲＳＳＩの代わりに、各子機は、例えば、受信した信号のＳＮＲ（Signal to Noise Ratio）、ＳＩＮＲ（Signal to Interference plus Noise Ratio）を算出しても良い。ＲＳＳＩと同様に、ＳＮＲ、ＳＩＮＲは、信号を送信する装置と受信する装置との位置関係を示す指標として用いてもよい。
【０１４９】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０１５０】
上記各実施の形態では、本開示はハードウェアを用いて構成する例にとって説明したが、本開示はハードウェアとの連携においてソフトウェアでも実現することも可能である。
【０１５１】
また、上記各実施形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１５２】
また、集積回路化の手法はＬＳＩに限るものではなく、専用回路または汎用プロセッサを用いて実現してもよい。ＬＳＩ製造後に、プログラムすることが可能なＦＰＧＡ（Field Programmable Gate Array）、ＬＳＩ内部の回路セルの接続又は設定を再構成可能なリコンフィギュラブル  プロセッサ（Reconfigurable Processor）を利用してもよい。
【０１５３】
さらには、半導体技術の進歩又は派生する別技術により、ＬＳＩに置き換わる集積回路化の技術が登場すれば、当然、その技術を用いて機能ブロックを集積化してもよい。バイオ技術の適用等が可能性としてありえる。
【０１５４】
＜本開示のまとめ＞
本開示の制御装置は、第１から第ｎ（ｎは２以上の整数）の無線通信端末の第１の発光状態を、前記第１の無線通信端末の位置に基づいて前記第１の無線通信端末に指示する第１の制御信号と、前記第２の無線通信端末の位置に基づいて前記第２の無線通信端末に指示する第２の制御信号と、を送信し、前記第１の制御信号及び前記第２の制御信号の送信後に、前記第１から前記第ｎの無線通信端末の第２の発光状態を、前記第１の無線通信端末の位置に基づいて前記第１の無線通信端末に指示する第３の制御信号と、前記第２の無線通信端末の位置に基づいて前記第２の無線通信端末に指示する第４の制御信号と、を送信し、前記第１の無線通信端末から、前記第１の制御信号に対する第１の応答信号を受信し、前記第１の応答信号の受信後に、前記第３の制御信号に対する第３の応答信号を受信し、前記第２の無線通信端末から、前記第２の制御信号に対する第２の応答信号を受信し、前記第２の応答信号の受信後に、前記第４の制御信号に対する第４の応答信号を受信する、通信部と、前記第１から前記第ｎの無線通信端末の位置と、前記第１の応答信号及び前記第２の応答信号を記憶する記憶部と、前記第１の応答信号と前記第３の応答信号を用いて、前記第１の無線通信端末の位置を更新する位置推定部と、を具備し、前記第１の応答信号は、少なくとも、前記第１の無線通信端末が前記第１の制御信号を受信した際に算出した第１の受信品質、及び、前記第１の無線通信端末が前記第２の応答信号を受信した際に算出した前記第２の応答信号の第２の受信品質を含み、前記第３の応答信号は、少なくとも、前記第１の無線通信端末が前記第３の制御信号を受信した際に算出した第３の受信品質、及び、前記第１の無線通信端末が前記第４の応答信号を受信した際に算出した前記第４の応答信号の第４の受信品質を含み、前記位置推定部は、前記第１の受信品質と前記第３の受信品質の差及び前記第２の受信品質と前記第４の受信品質の差を用いて、前記第１の無線通信端末の位置を更新する。
【０１５５】
また、本開示の制御装置において、前記通信部は、前記第１の無線通信端末の発光部の発光状態を、前記第２から前記第ｎの無線通信端末の発光部と異なる発光状態に制御する第５の制御信号を送信し、前記第５の制御信号に基づいて前記発光部を点灯させた前記第１の無線通信端末を含む領域を撮影した第１画像を取得するカメラ撮影部と、前記第１画像に基づいて、前記第１の無線通信端末の位置を検出する位置検出部と、を具備する。
【０１５６】
また、本開示の制御装置において、前記通信部は、前記第２の無線通信端末の発光部の発光状態を、前記第１、及び、前記第３から前記第ｎの無線通信端末の発光部と異なる発光状態に制御する第６の制御信号を送信し、前記第１の無線通信端末から前記第５の制御信号に対する第５の応答信号を受信し、前記第２の無線通信端末から前記第６の制御信号に対する第６の応答信号を受信し、前記第５の応答信号は、前記第１の無線通信端末が前記第５の制御信号を受信した際に算出した第５の受信品質及び前記第１の無線通信端末が前記第６の応答信号を受信した際に算出した第６の受信品質を含み、前記記憶部は、前記第５の受信品質を前記第１の受信品質として記憶し、前記第６の受信品質を前記第２の受信品質として記憶する。
【０１５７】
また、本開示の制御装置において、前記第１、前記第２、前記第３及び前記第４の受信品質は、ＲＳＳＩ（Received Signal Strength Indicator）である。
【０１５８】
本開示の無線通信端末は、発光部と、前記発光部の第１の発光状態を指示する第１の制御信号を受信し、前記第１の制御信号に対する第１の応答信号を送信し、前記発光部の第２の発光状態を指示する第３の制御信号を受信し、前記第３の制御信号に対する第３の応答信号を送信する無線通信部と、前記第１及び前記第３の制御信号に含まれる指示に基づき、前記発光部の前記第１及び第２の発光状態を制御する発光制御部と、前記第１の制御信号に対する第１の受信品質を算出し、前記第３の制御信号に対する第３の受信品質を算出する制御部と、を具備し、前記無線通信部は、他の無線通信端末が送信した前記第１の発光状態に対する第２の応答信号を受信し、前記他の無線通信端末が送信した前記第２の発光状態に対する第４の応答信号を受信し、前記制御部は、前記第２の応答信号に対する第２の受信品質と前記第４の応答信号に対する第４の受信品質とを算出し、前記第１の応答信号は、少なくとも、前記第１の受信品質及び前記第２の受信品質を含み、前記第３の応答信号は、少なくとも、前記第２の受信品質及び前記第４の受信品質を含む。
【０１５９】
本開示の位置推定システムは、制御装置と、前記制御装置に接続される少なくとも１つの無線基地局装置と、前記少なくとも１つの無線基地局装置のいずれかと無線接続する第１から第ｎ（ｎは２以上の整数）の無線通信端末と、を具備し、前記制御装置は、前記第１から前記第ｎの無線通信端末の第１の発光状態を、前記第１の無線通信端末の位置に基づいて前記第１の無線通信端末に指示する第１の制御信号と、前記第２の無線通信端末の位置に基づいて前記第２の無線通信端末に指示する第２の制御信号と、を送信し、前記第１の制御信号及び前記第２の制御信号の送信後に、前記第１から前記第ｎの無線通信端末の第２の発光状態を、前記第１の無線通信端末の位置に基づいて前記第１の無線通信端末に指示する第３の制御信号と、前記第２の無線通信端末の位置に基づいて前記第２の無線通信端末に指示する第４の制御信号と、を送信し、前記第１の無線通信端末から、前記第１の制御信号に対する第１の応答信号を受信し、前記第１の応答信号の受信後に、前記第３の制御信号に対する第３の応答信号を受信し、前記第２の無線通信端末から、前記第２の制御信号に対する第２の応答信号を受信し、前記第２の応答信号の受信後に、前記第４の制御信号に対する第４の応答信号を受信する、通信部と、前記第１から前記第ｎの無線通信端末の位置と、前記第１の応答信号及び前記第２の応答信号を記憶する記憶部と、前記第１の応答信号と前記第３の応答信号を用いて、前記第１の無線通信端末の位置を更新する位置推定部と、を具備し、前記第１の無線通信端末は、発光部と、前記第１の制御信号及び前記第２の応答信号を受信し、前記第１の応答信号を送信し、前記第３の制御信号及び前記第４の応答信号を受信し、前記第３の応答信号を送信する無線通信部と、前記第１及び前記第３の制御信号に含まれる指示に基づき、前記発光部の前記第１及び第２の発光状態を制御する発光制御部と、前記第１の制御信号に対する第１の受信品質、前記第２の応答信号に対する第２の受信品質、前記第３の制御信号に対する第３の受信品質及び前記第４の応答信号に対する第４の受信品質を算出する制御部と、を具備し、前記第１の応答信号は、少なくとも、前記第１の受信品質及び前記第２の受信品質を含み、前記第３の応答信号は、少なくとも、前記第２の受信品質及び前記第４の受信品質を含み、前記位置推定部は、前記第１の受信品質と前記第３の受信品質の差及び前記第２の受信品質と前記第４の受信品質の差を用いて、前記第１の無線通信端末の位置を更新する。
【産業上の利用可能性】
【０１６０】
本開示は、発光装置の集合演出を行うシステムに適用できる。
【符号の説明】
【０１６１】
１０  制御装置
１１、２１  通信部
１２  カメラ
１３  カメラ撮影部
１４  記憶部
１５  初期位置検出部
１６  演出制御部
１７  子機位置推定部
２０  親機
２２、３２  無線通信部
２３  制御部
＃１〜＃ｎ  子機
３１  発光部
３３  発光制御部
３４  ＲＳＳＩ記憶部
３５  子機制御部
１００  制御システム
１４１  子機位置記憶部
１４２  ＲＳＳＩ記憶部
１４３  演出内容記憶部
【図１】
2018136209.tif 000003
【図２】
2018136209.tif 000004
【図３】
2018136209.tif 000005
【図４Ａ】
2018136209.tif 000006
【図４Ｂ】
2018136209.tif 000007
【図５Ａ】
2018136209.tif 000008
【図５Ｂ】
2018136209.tif 000009
【図５Ｃ】
2018136209.tif 000010
【図５Ｄ】
2018136209.tif 000011
【図６】
2018136209.tif 000012
【図７】
2018136209.tif 000013
【図８】
2018136209.tif 000014